(57)【要約】【課題】器具本体内へのグリル庫の設置を容易化できるコンロを提供する。【解決手段】器具本体３の前面には、上部が開放された開口部８１が設けられ、その開口部の上部において水平に渡した状態で、水平梁部材５０が器具本体３の前面上部に着脱自在に取り付けられている。器具本体３内には、グリル庫６０を設置する為に、開口部８１から後方に延設された中央空洞部８５が設けられている。このようなコンロの組立工程では、中央空洞部８５内に、予めアセンブリして組み立てたグリル庫６０を上方からそのまま落とし込んで、グリル庫６０のグリル開口６７を開口部８１に配置した後で、水平梁部材５０を、開口部８１の上部において水平に渡した状態で、器具本体３の前面に取り付けることができる。よって、器具本体３内へのグリル庫６０の設置を容易化できる。【選択図】図４
2014054465.tif 000002
【特許請求の範囲】
【請求項１】
上部が開口する直方体状の器具本体内に直方体状にアセンブリされたグリル庫が設置され、前記器具本体の上部開口に天板が装着されたコンロであって、
前記器具本体の前面部は、
上部が開放された開口部と、
前記開口部の前記上部において水平に渡した状態で着脱自在に取り付けられた水平梁部と
を備え、
前記器具本体内には、前記グリル庫を設置する為に、前記開口部から後方に延設された空洞部が設けられ、
前記空洞部内に前記グリル庫が上方から落とし込まれ、前記グリル開口が前記開口部に配置された後で、前記水平梁部が、前記開口部の上部において水平に渡した状態で、前記前面部に取り付けられていることを特徴とするコンロ。
【請求項２】
前記水平梁部の使用者に対向する前面には保護部材が取り付けられていることを特徴とする請求項１に記載のコンロ。
【請求項３】
前記保護部材は樹脂であることを特徴とする請求項２に記載のコンロ。
【請求項４】
前記前面部の上端部の少なくとも一部に沿って装着され、前記保護部材と同一直線上に配置される枠部材を備え、
前記枠部材の前面と前記保護部材の前記前面とは面一になっていることを特徴とする請求項１から３の何れかに記載のコンロ。
【請求項５】
前記開口部に設けられ、前記グリル開口を開閉するグリル扉を備え、
前記グリル扉は前記グリル庫内を視認可能なガラス窓部を備え、
前記グリル開口が前記グリル扉によって閉塞された状態では、前記ガラス窓部は、前記保護部材の前記前面よりも後方に配置されていることを特徴とする請求項２から４の何れかに記載のコンロ。
【発明の詳細な説明】
【技術分野】
【０００１】
本発明は、グリル庫を備えるコンロに関する。
【背景技術】
【０００２】
従来、焼網に魚類等の被調理物を載せて、その被調理物の上下両面を同時に加熱する両面焼きグリルを備えたコンロが知られている（例えば、特許文献１参照）。両面焼グリルは、器具本体内にグリル庫を備える。グリル庫には、魚等の被調理物を載置する焼網が設けられ、その焼網の上下に配置したバーナの燃焼により被調理物の上下両面が同時に加熱される。器具本体の前面部の中央部には、グリル庫の前側に設けられたグリル開口が配置される矩形状の開口部が設けられている。その開口部の直上には、前面部の上部において左右方向に延出する金属製の梁部材が設けられている。このような構造を備えるコンロの組立工程において、器具本体内に直方体状のグリル庫をそのまま設置するには、開口部の上部に配置された梁部材が邪魔であった。それ故、作業者は、コンロの組立工程の中で、グリル庫を構成する複数のパーツを器具本体に順次組み付けることで、グリル庫を器具本体内で組み立てていた。
【先行技術文献】
【特許文献】
【０００３】
【特許文献１】特開２０１１−８３６２８号公報
【発明の概要】
【発明が解決しようとする課題】
【０００４】
しかしながら、グリル庫をコンロの組立工程の中で組み立てるので、コンロの組立工程が延長化され、さらにその作業を行う為の人員の確保が必要となり、コンロの組立工程を複雑にしていた。
【０００５】
本発明の目的は、器具本体内へのグリル庫の設置を容易化できるコンロを提供することである。
【課題を解決するための手段】
【０００６】
本発明の請求項１に係るコンロは、上部が開口する直方体状の器具本体内に直方体状にアセンブリされたグリル庫が設置され、前記器具本体の上部開口に天板が装着されたコンロであって、前記器具本体の前面部は、上部が開放された開口部と、前記開口部の前記上部において水平に渡した状態で着脱自在に取り付けられた水平梁部とを備え、前記器具本体内には、前記グリル庫を設置する為に、前記開口部から後方に延設された空洞部が設けられ、前記空洞部内に前記グリル庫が上方から落とし込まれ、前記グリル開口が前記開口部に配置された後で、前記水平梁部が、前記開口部の上部において水平に渡した状態で、前記前面部に取り付けられている。
【０００７】
また請求項２に係る発明のコンロは、請求項１に記載の発明の構成に加え、前記水平梁部の使用者に対向する前面には保護部材が取り付けられている。
【０００８】
また請求項３に係る発明のコンロは、請求項２に記載の発明の構成に加え、前記保護部材は樹脂である。
【０００９】
また請求項４に係る発明のコンロは、請求項１から３の何れかに記載の発明の構成に加え、前記前面部の上端部の少なくとも一部に沿って装着され、前記保護部材と同一直線上に配置される枠部材を備え、前記枠部材の前面と前記保護部材の前記前面とは面一になっている。
【００１０】
また請求項５に係る発明のコンロは、請求項２から４の何れかに記載の発明の構成に加え、前記開口部に設けられ、前記グリル開口を開閉するグリル扉を備え、前記グリル扉は前記グリル庫内を視認可能なガラス窓部を備え、前記グリル開口が前記グリル扉によって閉塞された状態では、前記ガラス窓部は、前記保護部材の前記前面よりも後方に配置されている。
【発明の効果】
【００１１】
請求項１に係る発明のコンロでは、器具本体の前面部の上部を分割して水平梁部を別個に設けることによって、コンロを組み立てる際に、水平梁部を取り外しておけば、直方体状に先にアセンブリしたグリル庫を器具本体の空洞部内に上方から落とし込むことによって、グリル庫をそのまま設置できる。そして、グリル庫のグリル開口を開口部に配置してから、水平梁部をグリル開口の上方から前面部の上部に取り付けることができる。これにより、器具本体内へのグリル庫の設置を容易化できる。そして、グリル庫をコンロの組立工程上で組み立てる従来方法に比較して、コンロの組立工程を短縮化できる。
【００１２】
また請求項２に係る発明のコンロでは、請求項１に記載の発明の効果に加え、水平梁部はグリル庫のグリル開口に対応する位置にあるので、グリル庫の熱が水平梁部に伝わり易い。本発明では、水平梁部の使用者に対向する前面には保護部材が取り付けられているので、使用者が水平梁部に直接触れてしまうのを防止できる。
【００１３】
また請求項３に係る発明のコンロでは、請求項２に記載の発明の効果に加え、保護部材は樹脂であるので、保護部材は樹脂であるので、金属に比べて、使用者が感じる熱さを和らげることができる。
【００１４】
また請求項４に係る発明のコンロでは、請求項１から３の何れかに記載の発明の効果に加え、枠部材の前面と保護部材の前面とは面一になっているので、器具本体の前面部の上部において、凹凸の無い直線状の平面を形成できる。これにより、前面部のデザイン性を向上できる。例えば、枠部材と保護部材の色を同一とし、かつ前面部の色と異ならせることによって、コンロの中で前面部をより目立たせることができる。
【００１５】
また請求項５に係る発明のコンロでは、請求項２から４の何れかに記載の発明の効果に加え、グリル庫内の加熱調理によってグリル扉のガラス窓部は熱くなるが、ガラス窓部は、保護部材の前面よりも後方に配置されているので、使用者がグリル扉に近付いた場合、ガラス窓部ではなく、保護部材を使用者に触れさせることができる。これにより、使用者が加熱調理中に、グリル扉のガラス窓部に過って触れてしまうのを防止できる。
【図面の簡単な説明】
【００１６】
【図１】コンロ１の斜視図である。
【図２】コンロ１の平面図である。
【図３】器具本体３の斜視図である。
【図４】器具本体３からグリル扉１６を取り外した状態の斜視図である。
【図５】図４に示す器具本体３の前面から、右側操作部１７、左側操作部１８、及び中央枠４１を取り外した状態の斜視図である。
【図６】図４に示す器具本体３から中央枠４１及び水平梁部材５０を取り外した状態の斜視図である。
【図７】図６に示す器具本体３からグリル庫６０、右側バーナ５、及び左側バーナ６等の各種機構を取り外した状態の斜視図である。
【図８】水平梁部材５０と中央枠４１との着脱構造を示す分解図である。
【図９】グリル庫６０の斜視図である。
【図１０】コンロ１の前側部分の縦断面図である。
【発明を実施するための形態】
【００１７】
以下、本発明の一実施形態であるコンロ１について、図面に基づいて説明する。以下説明では、図１〜図７の左斜め下方、右斜め上方、右斜め下方、左斜め上方を、夫々、コンロ１（器具本体３、筐体８）の前方、後方、右方、左方とする。図８の左斜め上方、右斜め下方、左斜め下方、右斜め上方は、夫々、水平梁部材５０の前方、後方、右方、左方とする。
【００１８】
図１，図２を参照し、コンロ１の外観構造について説明する。コンロ１は、トッププレート２と器具本体３を備える。トッププレート２は器具本体３の上部に固定されている。トッププレート２の左右両側には、円形状の一対の開口部（図示略）が形成されている。これら開口部には、右側バーナ５及び左側バーナ６が器具本体３側から上方に突出して配置されている。右側バーナ５及び左側バーナ６の各周囲には、五徳１１，１２が夫々設置されている。五徳１１，１２の各上部には、フライパン、鍋等の調理容器（図示略）が載置される。
【００１９】
トッププレート２の後方には、グリル排気口（図示略）が設けられている。グリル排気口はグリル庫６０内の排気を行う。グリル庫６０は、器具本体３の後述する筐体８の中央空洞部８５に設置されている（図３参照）。グリル排気口には遮炎カバー１３，１４が設置されている。遮炎カバー１３，１４は複数の孔１３Ａ，１４Ａを備え、グリル庫６０内部からの炎のあふれを遮断する。
【００２０】
略直方体状の器具本体３の前面部には、グリル扉１６、右側操作部１７、左側操作部１８が各々設けられている。グリル扉１６は、器具本体３の前面部の幅方向略中央に設けられている。グリル扉１６の前面には矩形状のガラス窓部１６Ａが設けられている。使用者は、ガラス窓部１６Ａにより、グリル庫６０内の被調理物の焼け具合等を視認できる。ガラス窓部１６Ａの下方には取っ手１６Ｂが前方に突出して設けられている。グリル扉１６はグリル庫６０の前方に引き出し可能である。使用者は取っ手１６Ｂをつかんでグリル扉１６を前方に引き出すことにより、グリル庫６０内に収納された受け皿３５及び焼き網３６（図１０参照）等を外部に取り出すことができる。
【００２１】
図１に示すように、右側操作部１７は、器具本体３の前面右側に設けられている。右側操作部１７は前面において、下部に点火スイッチ２１，２２、中央に意匠パネル面３１、上部に火力調節レバー２６，２７を備える。点火スイッチ２１はグリル扉１６の右隣りに配置され、右側バーナ５の点火消火を行う。点火スイッチ２２は点火スイッチ２１の右隣りに配置され、グリル庫６０内に設けられたグリルバーナ６１，６２（図４参照）の点火消火を行う。意匠パネル面３１は、コンロ１の前方に対して斜め上方に傾斜する。火力調節レバー２６は、意匠パネル面３１を挟んで点火スイッチ２１の上方に配置され、右側バーナ５の火力調節を手動で行う。火力調節レバー２７は、意匠パネル面３１を挟んで点火スイッチ２２の上方に配置され、グリルバーナ６１，６２の火力調節を手動で行う。
【００２２】
左側操作部１８は、器具本体３の前面左側に設けられている。左側操作部１８は前面において、下部に点火スイッチ２３及び電池ボックス２４、中央に意匠パネル面３２、上部に火力調節レバー２８を備える。点火スイッチ２３はグリル扉１６の左隣りに配置され、左側バーナ６の点火消火を行う。電池ボックス２４は２つの乾電池を設置可能である。意匠パネル面３２は、コンロ１の前方に対して斜め上方に傾斜する。火力調節レバー２８は、意匠パネル面３２を挟んで点火スイッチ２３の上方に配置され、左側バーナ６の火力調節を手動で行う。
【００２３】
さらに、器具本体３の前面部の上縁部、右側縁部、及び左側縁部に沿うようにして、樹脂製の中央枠４１、右側枠４２、左側枠４３が着脱自在に装着されている。中央枠４１は左右方向に延出する直線状に形成され、グリル扉１６の上端部に相対する部分に装着されている。右側枠４２は正面視逆Ｌ字状に形成され、右側操作部１７の上端部及び右端部に沿って装着されている。左側枠４３は右側枠４２と左右対称の正面視逆Ｌ字状に形成され、左側操作部１８の上端部及び左端部に沿って装着されている。
【００２４】
これら中央枠４１、右側枠４２、左側枠４３は正面視逆Ｕ字状の枠を構成し、器具本体３の前面部の下端部を除く周囲を覆っている。これにより、器具本体３の前面部のデザイン性が向上するので、他製品との差別化を図ることができる。例えば、中央枠４１、右側枠４２、左側枠４３を同一色とし、グリル扉１６、意匠パネル面３１，３２の色と異ならせることによって、器具本体３の前面部をよりスタイリッシュなデザインにすることができる。さらに、上記の枠の色と、その背景となる前面部の色との組合せを変えることによって、器具本体３の前面部についてデザインのバリエーションを簡単に作製できる。それ故、コンロ１の多色展開が可能となる。
【００２５】
図３〜図１０を参照し、器具本体３の構造について具体的に説明する。図３に示すように、器具本体３は、筐体８、水平梁部材５０、右側バーナ５、左側バーナ６、ガス供給装置５Ａ、ガス供給装置６Ａ、グリル庫６０、保護カバー６８、グリル扉１６、右側操作部１７、左側操作部１８等を備える。ガス供給装置５Ａは、右側バーナ５の点火消火を行うと共に、右側バーナ５にガスを供給する為の装置である。ガス供給装置６Ａは、左側バーナ６の点火消火を行うと共に、左側バーナ６にガスを供給する為の装置である。
【００２６】
図５〜図７を参照し、筐体８の構造について説明する。図５に示すように、筐体８は金属製であって、上面が開口する略直方体状に形成されている。筐体８の前面には、開口部８１、右側取付部８２、左側取付部８３が夫々設けられている。右側取付部８２は、筐体８の前面の中央を除く右側部位に位置し、前方に向かって直方体状に所定長突出している。この右側取付部８２には、上述した右側操作部１７が被さるようにして取り付けられる。一方、左側取付部８３は、筐体８の前面の中央を除く左側部位に位置し、前方に向かって直方体状に所定長突出している。この左側取付部８３には、上述した左側操作部１８が被さるようにして取り付けられる。図７に示すように、開口部８１は、右側取付部８２と左側取付部８３との間に挟まれた中央に位置し、上部が開放された矩形状に形成されている。
【００２７】
図７に示すように、筐体８の内側には、中央空洞部８５、右側空洞部８６、左側空洞部８７が各々設けられている。中央空洞部８５は、開口部８１に相対し且つ後方に延びる空間である。右側空洞部８６は、右側取付部８２の裏面に相対し且つ後方に延びる空間である。左側空洞部８７は、左側取付部８３の裏面に相対し且つ後方に延びる空間である。そして、図６に示すように、中央空洞部８５には、後述するグリル庫６０及び保護カバー６８等が組み込まれる。右側空洞部８６には、上記右側バーナ５及びガス供給装置５Ａ等の各種機構が組み込まれる。左側空洞部８７には、上記左側バーナ６及びガス供給装置６Ａ等の各種機構が組み込まれる。
【００２８】
図５，図８を参照し、水平梁部材５０について説明する。図５に示すように、水平梁部材５０は、筐体８において、右側取付部８２の上端面８８の左端部と、左側取付部８３の上端面８９の右端部との間に、開口部８１の開放された上部において略水平に渡すようにして取り付けられている。水平梁部材５０が右側取付部８２と左側取付部８３との間に介在することにより、開口部８１の幅寸法が保持され、さらに右側取付部８２及び左側取付部８３が補強される。
【００２９】
図８に示すように、水平梁部材５０は断面Ｌ字状の金属製アングル部材である。水平梁部材５０は、本体部５１、支持部５２、固定部５３，５４を備える。本体部５１は、略水平に左右方向に延設された平面視細長長方形の板状に形成されている。支持部５２は、本体部５１の長手方向に直交する方向（前後方向）の一端部（前端部）から直角上方に延設された正面視細長長方形の板状に形成されている。支持部５２には、４つの係合穴５５が長手方向において等間隔に設けられている。係合穴５５は、右側の内縁部から左方向（図８では右斜め上方向）に突出する係止部５６を備える。固定部５３は、支持部５２の長手方向一端部（左端部）から直角上方に延出され、かつ先端側が左側方にさらに直角に折り曲げられたＬ字状に形成されている。固定部５４は、支持部５２の前記一端部とは反対の他端部（右端部）から直角上方に延出され、かつ先端側が右側方にさらに直角に折り曲げられたＬ字状に形成されている。固定部５３，５４には、ビス留め用の固定穴５３Ａ，５４Ａが各々設けられている。このような水平梁部材５０に対して、上記の中央枠４１が取り付けられる。
【００３０】
図８を参照し、中央枠４１の形状について説明する。中央枠４１は、水平梁部材５０の支持部５２に対して着脱自在に取り付けられる。中央枠４１は、断面Ｕ字型の長尺状の樹脂部品である。中央枠４１は、枠本体部４１Ａと、一対の当接部４１Ｂ，４１Ｃとを備える。枠本体部４１Ａは、コンロ１の前方に対向し、且つ左右方向に延設された正面視横長長方形の板状に形成されている。一対の当接部４１Ｂ，４１Ｃは、枠本体部４１Ａの長手方向に直交する上下の両端部から直角後方に各々延出する板状に形成されている。枠本体部４１Ａのコンロ１の前方に対向する表面とは反対の内面には、４つの係合部４５が中央枠４１の長手方向に等間隔に設けられている。係合部４５は左右方向に貫通する矩形枠状に形成されている。これら４つの係合部４５の位置は、水平梁部材５０の支持部５２に設けた４つの係合穴５５に夫々対応している。
【００３１】
図９を参照し、グリル庫６０の構造について説明する。グリル庫６０は、下側ケース部６０Ａ、上側カバー部６０Ｂ、一対のグリルバーナ６１，６２、ガス供給部６３，６４、排気装置６５等をアセンブリしたユニットである。下側ケース部６０Ａは、正面視Ｕ字溝状に形成され、グリル庫６０の下側を構成する。上側カバー部６０Ｂは、下側ケース部６０Ａの開口する上部を覆うように固定され、グリル庫６０の上側を構成する。一対のグリルバーナ６１，６２は、下側ケース部６０Ａの左右両側壁の内面に各々取り付けられる。ガス供給部６３は下側ケース部６０Ａに取り付けられ、ガス供給部６４は上側カバー部６０Ｂに取り付けられる。ガス供給部６３，６４は、グリルバーナ６１，６２にガスを夫々供給する。排気装置６５は、グリル庫６０の背面側に取り付けられ、グリル庫６０内の燃焼排気を外部に排出する。
【００３２】
次に、上記構造を有するコンロ１の組立工程を説明する。先ず、作業者は、筐体８を用意し、図７に示すように、筐体８の右側取付部８２に右側操作部１７を取り付け、左側取付部８３に左側操作部１８を取り付ける。この段階では、水平梁部材５０を筐体８の前面に取り付けていないので、右側操作部１７と左側操作部１８との間には、上部が開放された矩形状の開口部８１が露出している。次いで、作業者は、図６に示すように、先にアセンブリしておいたグリル庫６０（図９参照）を、筐体８の上方からそのまま落とし込んで中央空洞部８５に配置し、筐体８の底壁上面に固定する。これにより、右側操作部１７と左側操作部１８との間に、グリル庫６０のグリル開口６７が挟まれた状態となる。そして、そのグリル開口６７に対し、矩形状のグリル枠９１をさらに固定する。
【００３３】
次に、作業者は、図６に示すように、グリル庫６０の上面に対し、保護カバー６８を取り付ける。保護カバー６８は、グリル庫６０と、後で取り付けられるトッププレート２（図１参照）との間に介在する。よって、グリル庫６０の熱がトッププレート２に直接伝わるのを防止できる。次いで、右側空洞部８６に対し、右側バーナ５及びガス供給装置５Ａ等を組み込み、左側空洞部８７に対し、左側バーナ６及びガス供給装置６Ａを組み込む。
【００３４】
次に、作業者は、図５に示すように、水平梁部材５０を筐体８の前面に取り付ける。先ず、水平梁部材５０の本体部５１を、右側取付部８２の左端部と左側取付部８３の右端部との間に上方から嵌め込んで、支持部５２が筐体８の前方に対向するように配置する。そして、水平梁部材５０の固定部５３を、左側取付部８３の上端面８９の右端部に設けられた固定穴（図示略）に対し、固定穴５３Ａ（図８参照）を合わせてビス（図示略）で固定する。さらに、水平梁部材５０の固定部５４を、右側取付部８２の上端面８８の左端部に設けられた固定穴（図示略）に対し、固定穴５２Ａ（図８参照）を合わせてビス（図示略）で固定する。このようにして、水平梁部材５０が、右側取付部８２の左端部と左側取付部８３の右端部との間に取り付けられる。
【００３５】
次に、作業者は、図８に示すように、中央枠４１を水平梁部材５０に取り付ける。先ず、中央枠４１の開口する内側を、水平梁部材５０の支持部５２の前面に向けて配置する。次いで、中央枠４１の４つの係合部４５を、水平梁部材５０の４つの係合穴５５に対して嵌め込み、さらに中央枠４１を水平梁部材５０に対して右方向にスライドさせる。これにより、各係合穴５５の係止部５６に対し、各係合部４５が係止するので、中央枠４１は水平梁部材５０の支持部５２の前面に対して取り付けられる。
【００３６】
この状態では、図１０に示すように、中央枠４１の一対の当接部４１Ｂと４１Ｃの各先端部が、水平梁部材５０の支持部５２の前面に当接している。従って、枠本体部４１Ａの内面と、支持部５２の前面との間には、各係合部４５と各係合穴５５とが係合する以外の部分において隙間が形成されている。ここで、水平梁部材５０は、グリル庫６０のグリル開口６７の上部近傍に位置するので、グリル庫６０での加熱調理が始まると、水平梁部材５０の温度が上昇して高温になり易い。しかしながら、本実施形態では、水平梁部材５０には中央枠４１が取り付けられ、その中央枠４１の枠本体部４１Ａの内面と、水平梁部材５０の支持部５２の前面との間には隙間が形成されている。従って、水平梁部材５０の熱が中央枠４１に伝わり難い構造となっている。さらに、中央枠４１は樹脂部品であるので、金属に比べて熱さを感じにくい。よって、グリル庫６０での加熱調理中に、使用者が中央枠４１に手を触れた場合でも、水平梁部材５０の熱さを直接感じないので、コンロ１の安全性をより向上できる。
【００３７】
さらに、作業者は、図４に示すように、右側操作部１７に対し、右側枠４２を装着し、左側操作部１８に対し、左側枠４３を装着する。これにより、器具本体３の前面の下端部を除く周囲に沿って、中央枠４１、右側枠４２、左側枠４３が装着されるので、器具本体３の前面周囲を覆うようにして、正面視逆Ｕ字状の枠を形成できる。次いで、作業者は、グリル庫６０のグリル開口６７に対し、受け皿３５と焼き網３６を差し込んで、グリル扉１６を引き出し可能に装着する（図１０参照）。グリル扉１６はグリル枠９１に当接し、グリル庫６０のグリル開口６７を塞ぐ。こうして、図３に示す器具本体３が完成する。そして、作業者は、器具本体３の上部開口に対し、トッププレート２を位置決めして固定することによって、図１に示すコンロ１の組み立てが完了する。
【００３８】
そして、図１０に示すように、グリル庫６０のグリル開口６７（図４参照）がグリル扉１６によって閉塞された状態では、グリル扉１６の上端部は中央枠４１の前面よりも後方に配置されている。これにより、使用者がコンロ１の前面側に近付いた場合、グリル扉１６のガラス窓部１６Ａではなく、中央枠４１に触れさせることができる。よって、グリル庫６０内での加熱調理中、グリル扉１６のガラス窓部１６Ａが高温になっていても、使用者がガラス窓部１６Ａに過って触れてしまうのを防止できる。また、中央枠４１に煮汁が付着した場合、そこから落下する煮汁は、グリル扉１６の上側部分には付着しにくい。それ故、中央枠４１を伝って落下する煮汁が、グリル扉１６の上端部とグリル枠９１との間からグリル庫６０内に侵入するのを防止できる。
【００３９】
なお、上記説明において、中央枠４１が本発明の「保護部材」に相当し、水平梁部材５０が本発明の「水平梁部」に相当する。右側枠４２、左側枠４３が本発明の「枠部材」に相当する。
【００４０】
以上説明したように、本実施形態のコンロ１は、器具本体３内に直方体状のグリル庫６０が設置されたものである。器具本体３の前面には、上部が開放された開口部８１が設けられ、その開口部の上部において水平に渡した状態で、水平梁部材５０が器具本体３の前面上部に着脱自在に取り付けられている。器具本体３内には、グリル庫６０を設置する為に、開口部８１から後方に延設された中央空洞部８５が設けられている。このような構造を有することによって、コンロ１の組立工程において、中央空洞部８５内に予めアセンブリして組み立てたグリル庫６０を上方からそのまま落とし込んで、グリル庫６０のグリル開口６７を開口部８１に配置した後で、水平梁部材５０を、開口部８１の上部において水平に渡した状態で、器具本体３の前面に取り付けることができる。これにより、器具本体３内へのグリル庫６０の設置を容易化できる。そして、グリル庫６０をコンロ１の組立工程上で組み立てる従来方法に比較して、コンロ１の組立工程を短縮化できる。
【００４１】
また上記実施形態では特に、水平梁部材５０の使用者に対向する前面には中央枠４１が取り付けられているので、使用者が水平梁部材５０に直接触れてしまうのを防止できる。さらに中央枠４１は樹脂であるので、金属に比べて、使用者が感じる熱さを和らげることができる。それ故、コンロ１の安全性を向上できる。
【００４２】
また上記実施形態では特に、器具本体３の前面の上端部において、中央枠４１、右側枠４２、左側枠４３は、正面視同一直線上に配置され、且つ何れの面も面一になっている。これにより、器具本体３の前面の上部において、凹凸の無い直線状の平面を形成できるので、器具本体３の前面のデザイン性を向上できる。例えば、中央枠４１、右側枠４２、左側枠４３の色を同一とし、かつ器具本体３の前面の色と異ならせることによって、コンロ１の中で前面をより目立たせることができる。
【００４３】
また上記実施形態では特に、グリル庫６０内の加熱調理によってグリル扉１６のガラス窓部１６Ａは熱くなるが、ガラス窓部１６Ａは、中央枠４１の前面よりも後方に配置されているので、使用者がグリル扉１６に近付いた場合、ガラス窓部１６Ａではなく、中央枠４１を使用者に触れさせることができる。これにより、使用者が加熱調理中に、グリル扉１６のガラス窓部１６Ａに過って触れてしまうのを防止できる。
【００４４】
なお本発明は上記実施形態に限定されるものではなく、種々の変更が可能である。例えば、上記実施形態では、器具本体３の幅方向中央にグリル庫６０を設置するものであるが、その設置位置は中央に限らず、例えば、右側又は左側に寄っていてもよい。その場合、グリル庫６０を設置する位置に応じて、器具本体３の前面に設けられる開口部８１の位置は変わる。
【００４５】
また上記実施形態では、右側バーナ５及び左側バーナ６を備えるものであるが、バーナの数はこれに限定されず、多くても少なくてもよい。さらに、本実施形態のコンロ１はガスを燃焼して加熱するものであるが、本発明は電磁調理式のコンロにも適用可能である。また、図１に示すコンロ１はテーブルコンロであるが、ビルトインコンロ等であってもよい。
【符号の説明】
【００４６】
１    コンロ
２    トッププレート
３    器具本体
１６    グリル扉
１６Ａ  ガラス窓部
４１    中央枠
４２    右側枠
４３    左側枠
５０    水平梁部材
６０    グリル庫
６７    グリル開口
８１    開口部
８５    中央空洞部
【図１】
2014054465.tif 000003
【図２】
2014054465.tif 000004
【図３】
2014054465.tif 000005
【図４】
2014054465.tif 000006
【図５】
2014054465.tif 000007
【図６】
2014054465.tif 000008
【図７】
2014054465.tif 000009
【図８】
2014054465.tif 000010
【図９】
2014054465.tif 000011
【図１０】
2014054465.tif 000012